(57)【要約】    【課題】対物レンズの全長が短く且つ高変倍の実像式光学ファインダーを提供する。    【解決手段】正の屈折力を持つ対物レンズ系１と、像正立光学系１a,２aと、正の屈折力を持つ接眼レンズ系２bを持つ実像式光学ファインダー。対物レンズ系１は、物体側より順に配置された、正の屈折力の第一レンズ群Ｇ1と、負の屈折力を持つ第二レンズ群Ｇ2と、負の屈折力を持つ第三レンズ群Ｇ3と、正の屈折力を持つ第四レンズ群Ｇ4とを含み、第二レンズ群Ｇ2と前記第三レンズ群Ｇ3を移動させることで変倍を行い、下記の条件式を満足する。      9ｍｍ＜ｆ1＜13.8mm但し、ｆ1は第一レンズ群Ｇ1の焦点距離である。【選択図】図１
2006195367.tif 000002
【特許請求の範囲】
【請求項１】
正の屈折力を持つ対物レンズ系と、像正立光学系と、正の屈折力を持つ接眼レンズ系を持つ実像式光学ファインダーにおいて、前記対物レンズ系は、物体側より順に配置された、正の屈折力の第一レンズ群と、負の屈折力を持つ第二レンズ群と、負の屈折力を持つ第三レンズ群と、正の屈折力を持つ第四レンズ群とを含み、前記第二レンズ群と前記第三レンズ群を移動させることで変倍を行う下記の条件式を満足することを特徴とする実像式光学ファインダー。
9mm＜ｆ1＜13.8mm
但し、ｆ1は前記第一レンズ群の焦点距離である。
【請求項２】
正の屈折力を持つ対物レンズ系と、像正立光学系と、正の屈折力を持つ接眼レンズ系を持つ実像式光学ファインダーにおいて、前記対物レンズ系は、物体側より順に配置された、正の屈折力の第一レンズ群と、負の屈折力を持つ第二レンズ群と、負の屈折力を持つ第三レンズ群と、正の屈折力を持つ第四レンズ群とを含み、前記各レンズ群は1枚のレンズから構成され、前記第二レンズ群と前記第三レンズ群を移動させることで変倍を行う下記の条件式を満足することを特徴とする実像式光学ファインダー。
1.45＜fe/f1＜2 
但し、ｆeは前記接眼レンズ系の焦点距離、f1は前記第１レンズ群の焦点距離である。
【請求項３】
正の屈折力を持つ対物レンズ系と、像正立光学系と、正の屈折力を持つ接眼レンズ系を持つ実像式光学ファインダーにおいて、前記対物レンズ系は、物体側より順に配置された、正の屈折力の第一レンズ群と、負の屈折力を持つ第二レンズ群と、負の屈折力を持つ第三レンズ群と、正の屈折力を持つ第四レンズ群とを含み、前記第二レンズ群と第三レンズ群を移動させることで変倍を行う下記の条件式を満足することを特徴とする実像式光学ファインダー。
1.5<f1/fw<2.54
但し、f1は前記第１レンズ群の焦点距離、fwは広角端における前記対物レンズの焦点距離である。
【請求項４】
下記の条件式を満足することを特徴とする請求項１乃至３の何れかに記載の実像式光学ファインダー。
-6.41<(R8-R7)/(R8+R7)<-0.71 
但し、R7は前記第四レンズ群の物体側の面の曲率半径、R8は前記第四レンズ群の像側の面の曲率半径である。
【請求項５】
下記の条件式を満足することを特徴とする請求項１乃至４の何れかに記載の実像式光学ファインダー。
-4.82<(R4-R3)/(R4+R3)<-1.97 
但し、R3は前記第二レンズ群の物体側の面の曲率半径、R4は前記第二レンズ群の像側の面の曲率半径である。
【請求項６】
下記の条件式を満足することを特徴とする請求項１乃至５の何れかに記載の実像式光学ファインダー。
1.47<R1/fw<1.98 
但し、R1は前記第一レンズ群の物体側の面の曲率半径、fwは前記対物レンズ系の広角端における焦点距離である。
【請求項７】
下記の条件式を満足することを特徴とする請求項１乃至６の何れかに記載の実像式光学ファインダー。
-1.72<f3/fw<-1.09 
但し、f3は前記第三レンズ群の焦点距離、fwは前記対物レンズ系の広角端における焦点距離である。
【請求項８】
下記の条件式を満足することを特徴とする請求項１乃至７の何れかに記載の実像式光学ファインダー。
1.2<f1/(ft/fw)<3.27 
但し、f1は前記第一レンズ群の焦点距離、ftは望遠端の対物レンズ系の望遠端のいける焦点距離、fwは前記対物レンズ系の広角端における焦点距離である。
【請求項９】
下記の条件式を満足することを特徴とする請求項１乃至８の何れかに記載の実像式光学ファインダー。
-1.84<f2/(ft/fw)<-0.99
但し、f2は前記第二レンズ群の焦点距離、ftは望遠端の前記対物レンズ系の望遠端における焦点距離、fwは前記対物レンズ系の広角端における焦点距離である。
【請求項１０】
前記第一レンズ群、前記第二レンズ群、前記第三レンズ群及び前記第四レンズ群は、何れも一枚のレンズからなることを特徴とする請求項１乃至９の何れかに記載の実像式光学ファインダー。
【請求項１１】
前記第四レンズ群と中間像との間に、物体側に正パワーを持ち且つ像を正立させるための反射面を有するプリズムが配置されていることを特徴とする請求項１乃至１０の何れかに記載の実像式光学ファインダー。
【請求項１２】
前記プリズムは、物体側の面が凸面であることを特徴とする請求項１１に記載の実像式光学ファインダー。
【請求項１３】
請求項１乃至１２の何れかに記載の実像式光学ファインダーと、前記ファインダーとは異なる光軸を有する撮像光学系とを備えたことを特徴とする撮像装置。
【発明の詳細な説明】
【技術分野】
【０００１】
本発明は、高変倍で且つ対物レンズ長の短い実像式光学ファインダー及びそれを備えた撮像装置に関するものである。
【背景技術】
【０００２】
従来、銀塩やデジタルのコンパクトカメラ用のファインダー光学系として、特に高変倍に適している対物レンズ用のものとして、正負負正の四群構成のものが提案されている（例えば、特許文献１乃至６参照）。
【特許文献１】特開平3-153206号公報
【特許文献２】特開平5-93863号公報
【特許文献３】特開平6-30097１号公報
【特許文献４】特開平7-13076号公報
【特許文献５】特開2001-330785号公報
【特許文献６】特開2002-90658号公報
【発明の開示】
【発明が解決しようとする課題】
【０００３】
しかしながら、これらは従来のものは、何れも対物レンズの全長が長いという問題点があった。
【０００４】
本発明は、従来のかかる問題点に鑑みてなされたものであり、その目的とするところは、対物レンズの全長が短く且つ高変倍の実像式光学ファインダー及びそれを備えた撮像装置を提供することにある。
【課題を解決するための手段】
【０００５】
上記の目的を達成するため、本第１の発明による実像式光学ファインダーは、正の屈折力を持つ対物レンズ系と、像正立光学系と、正の屈折力を持つ接眼レンズ系を持つ実像式光学ファインダーにおいて、前記対物レンズ系は、物体側より順に配置された、正の屈折力の第一レンズ群と、負の屈折力を持つ第二レンズ群と、負の屈折力を持つ第三レンズ群と、正の屈折力を持つ第四レンズ群とを含み、前記第二レンズ群と前記第三レンズ群を移動させることで変倍を行い、下記の条件式を満足するように構成されている。
9mm＜ｆ1＜13.8mm
但し、ｆ1は前記第一レンズ群の焦点距離である。
【０００６】
また、本第２の発明による実像式光学ファインダーは、正の屈折力を持つ対物レンズ系と、像正立光学系と、正の屈折力を持つ接眼レンズ系を持つ実像式光学ファインダーにおいて、前記対物レンズ系は、物体側より順に配置された、正の屈折力の第一レンズ群と、負の屈折力を持つ第二レンズ群と、負の屈折力を持つ第三レンズ群と、正の屈折力を持つ第四レンズ群とを含み、前記各レンズ群は何れも1枚のレンズから構成され、前記第二レンズ群と前記第三レンズ群を移動させることで変倍を行い、下記の条件式を満足するように構成されている。
1.45＜fe/f1＜2 
但し、ｆeは前記接眼レンズ系の焦点距離、f1は前記第一レンズ群の焦点距離である。
【０００７】
また、本第３の発明による実像式光学ファインダーは、正の屈折力を持つ対物レンズ系と、像正立光学系と、正の屈折力を持つ接眼レンズ系を持つ実像式光学ファインダーにおいて、対物系は、物体側より順に配置された、正の屈折力の第一レンズ群と、負の屈折力を持つ第二レンズ群と、負の屈折力を持つ第三レンズ群と、正の屈折力を持つ第四レンズ群とを含み、前記第二レンズ群と前記第三レンズ群を移動させることで変倍を行い、下記の条件式を満足するように構成されている。
1.5＜f1/fw＜2.5
但し、f1は前記第一レンズ群の焦点距離、fwは前記対物レンズの広角端における焦点距離である。
【０００８】
また、本発明による実像式光学ファインダーは、下記の条件式を満足することが好ましい。
-6.41＜(R8-R 7)/(R8+R7)＜-0.71 
但し、Ｒ7は前記第四レンズ群の物体側の面の曲率半径、R8は前記第四レンズ群の像側の面の曲率半径である。
【０００９】
また、本発明による実像式光学ファインダーは、下記の条件式を満足することが好ましい。
-4.82＜(R4-R3)/(R4+R3)＜-1.97 
但し、R3は前記第二レンズ群の物体側の面の曲率半径、R4は前記第二群の像側の面の曲率半径である。
【００１０】
また、本発明による実像式光学ファインダーは、下記の条件式を満足することが好ましい。
1.47＜R1/fw＜1.98
但し、R1は前記第一レンズ群の物体側の面の曲率半径、fwは広角端の前記対物レンズ系焦の広角端における点距離である。
【００１１】
また、本発明による実像式光学ファインダーは、下記の条件式を満足することが好ましい。
-1.72＜f3/fw＜-1.09 
但し、f3は前記第三レンズ群の焦点距離、fwは前記対物レンズ系の広角端における焦点距離である。
【００１２】
また、本発明による実像式光学ファインダーは、下記の条件式を満足することが好ましい。
1.2＜f1/(ft/fw)＜3.27
但し、ｆ1は前記第一レンズ群の焦点距離、ftは望遠端の対物レンズ系の望遠端における焦点距離、fwは対物レンズ系の広角端における焦点距離である。
【００１３】
また、本発明による実像式光学ファインダーは、好ましくは、前記第二レンズ群は1枚のレンズから構成され、下記の条件式を満足するように構成されている。
-1.84＜f2/(ft/fw) ＜-0.99 
但し、f2は前記第二レンズ群の焦点距離、ftは前記対物レンズ系の望遠端における焦点距離、fwは広角端の対物レンズ系の広角端における焦点距離である。
【００１４】
また、本発明による実像式光学ファインダーは、前記第四レンズ群と中間像との間に物体側に正パワーを持ち像を正立させるための反射面を有するプリズムが配置されていることが好ましい。
【００１５】
また、本発明による実像式光学ファインダーは、好ましくは、前記第一レンズ群、前記第二レンズ群、前記第三レンズ群、及び前記第四レンズ群が、何れも1枚のレンズから構成されている。
また、本発明による実像式光学ファインダーは、前記プリズムの物体側の面が凸面であることが好ましい。
また、本発明による撮像装置は、上記何れかの実像式光学ファインダーと、前記ファインダーとは異なる光軸を有する撮像光学系とを備えている。
【発明の効果】
【００１６】
本発明によれば、高変倍で且つ対物レンズ長の短い実像式光学ファインダー及びそれを備える撮像装置を提供することができる。
【発明を実施するための最良の形態】
【００１７】
実施例の説明に先立ち、本発明の作用効果について詳述する。
本発明によれば、正の屈折力を持つ対物レンズ系と、像正立光学系と、正の屈折力を持つ接眼レンズ系を持つ実像式光学ファインダーにおいて、前記対物レンズ系は、物体側より順に配置された、正の屈折力の第一レンズ群と、負の屈折力を持つ第二レンズ群と、負の屈折力を持つ第三レンズ群と、正の屈折力を持つ第四レンズ群とを含み、前記第二レンズ群と前記第三レンズ群を移動させることで変倍を行い、下記の条件式(1)を満足するように構成されている。
9mm＜ｆ1＜13.8mm                                         (1)
但し、ｆ1は前記第一レンズ群の焦点距離である。
正負負正の四群構成は高変倍に適しており、従来から高変倍ズームレンズに多用されてきている。全体として対称なレンズ配置であるため、軸外収差の補正に適している。更に、観察者の瞳径が約4mmであることを考慮し、条件式（1）を満足することで対物レンズ長を短く設計することができる。即ち、条件式（1）の下限を下回ると対物レンズ系全体の焦点距離が短くなり、結果として観察倍率が小さくなつたり、像正立光学系を配置するスペースの確保が困難になる。或いは、第1レンズ群で発生する収差をそれ以降のレンズで補正するため、全長を短くするという当初の目的を達成するのが困難になる。また、上限を上回ると対物レンズ系全体の焦点距離が長くなり、結果として対物レンズ長が長くなる。又は、それ以降のレンズで焦点距離を短くし且つ収差を良好に補正しようとすると、レンズの枚数が増えたりして結果的に焦点距離が長くなったり、像正立光学系を配置するスペースの確保が困難になる。
【００１８】
また、本発明によれば、正の屈折力を持つ対物レンズ系と、像正立光学系と、正の屈折力を持つ接眼レンズ系を持つ実像式光学ファインダーにおいて、対物系は物体側より順に配置された、正の屈折力の第一レンズ群、負の屈折力を持つ第二レンズ群、負の屈折力を持つ第三レンズ群、正の屈折力を持つ第四レンズ群を含み、前記各レンズ群は1枚のレンズから構成され、第二群と第三群を移動させることで変倍を行い、下記の条件式(2)を満足するように構成されている。
1.45＜fe/f1＜2                                          （2）
但し、ｆeは前記接眼レンズ系の焦点距離、ｆ1は前記第一レンズ群の焦点距離である。
正負負正の四群構成は高変倍に適しており、従来から高変倍ズームレンズに多用されてきている。全体として対称なレンズ配置であるため、軸外収差の補正に適している。更に、像正立光学系を配置し、見やすい倍率を考慮し、条件式（２）を満足することで対物レンズ長を短く設計することができる。即ち、条件式（２）の下限を下回ると対物レンズ系全体の焦点距離が短くなり、結果として観察倍率が小さくなつたり、像正立光学系を配置するスペースの確保が困難になる。或いは、第1レンズ群で発生する収差をそれ以降のレンズで補正するため、全長を短くするという当初の目的を達成するのが困難になる。また、上限を上回ると対物レンズ系全体の焦点距離が長くなり、結果として対物レンズ長が長くなる。または、それ以降のレンズで焦点距離を短くし、且つ収差を良好に補正しようとすると、レンズの枚数が増えたりして結果的に焦点距離が長くなったり、像正立光学系を配置するスペースの確保が困難になる。
【００１９】
また、本発明によれば、正の屈折力を持つ対物レンズ系と、像正立光学系と、正の屈折力を持つ接眼レンズ系を持つ実像式光学ファインダーにおいて、対物レンズ系は、物体側より順に配置された、正の屈折力を持つ第一レンズ群、負の屈折力を持つ第二レンズ群、負の屈折力を持つ第三レンズ群、正の屈折力を持つ第四レンズ群を含み、第二レンズ群と第三レンズ群を移動させることで変倍を行い、下記の条件式(3)を満足するように構成されている。
1.5＜f1/fw＜2.54                                            （3) 
但し、f1は前記第一レンズ群の焦点距離、fwは前記対物レンズの広角端における焦点距離である。
条件式(3)の下限を下回ると、第一レンズ群のパワーが強くなり変倍時の収差変動が大きくなってしまう。また、第一レンズ群の取り付け誤差に対する視度への効きが強くなってしまう。また、対物レンズ系のバックフォーカスが短くなり、対物レンズ系内にプリズムを入れることが困難となる。また、条件式(3)の上限を上回ると、変倍によるディストーションの格差が大きくなってしまう。
さらに、条件式（3）は以下の条件式を満足させることが好ましい。
1.88＜f1/fw＜2.51
1.92＜f1/fw＜2.30
1.98＜f1/fw＜2.30
【００２０】
また、本発明によれば、正の屈折力を持つ対物レンズ系と、像正立光学系と、正の屈折力を持つ接眼レンズ系を持つ実像式光学ファインダーにおいて、対物レンズ系は、物体側より順に配置された、正の屈折力を持つ第一レンズ群、負の屈折力を持つ第二レンズ群、負の屈折力を持つ第三レンズ群、正の屈折力を持つ第四レンズ群を含み、第二レンズ群と第三レンズ群を移動させることで変倍を行い、下記の条件式(4）を満足するように構成されている。
-6.41＜(R8-R7)/(R8+R7) ＜-0.71                            （4）
但し、R7は第四レンズ群の物体側の面の曲率半径、R8は第四レンズ群の像面側の面の曲率半径である。
上記条件式(4)を外れると、望遠状態でR7とR8面上での球面収差とコマ収差の発生量のバランスが崩れてしまい望ましくない。
【００２１】
また、本発明によれば、正の屈折力を持つ対物レンズ系と、像正立光学系と、正の屈折力を持つ接眼レンズ系を持つ実像式光学ファインダーにおいて、対物レンズ系は、物体側より順に配置された、正の屈折力を持つ第一レンズ群、負の屈折力を持つ第二レンズ群、負の屈折力を持つ第三レンズ群、正の屈折力を持つ第四レンズ群を含み、第二レンズ群と第三レンズ群を移動させることで変倍を行い、下記の条件式(5）を満足するように構成されている。
-4.82＜(R4-R3)/(R4+R3)＜-1.97                              （5）
但し、R3は第二レンズ群の物体側の面の曲率半径、R4は第二レンズ群の像面側の面の曲率半径である。
上記条件式(5)の上限を上回ると、望遠端の球面収差の補正が難しくなる。また、下限を下回ると、非点収差の変動が大きくなってしまう。
【００２２】
また、本発明によれば、正の屈折力を持つ対物レンズ系と、像正立光学系と、正の屈折力を持つ接眼レンズ系を持つ実像式光学ファインダーにおいて、対物レンズ系は、物体側より順に配置された、正の屈折力を持つ第一レンズ群、負の屈折力を持つ第二レンズ群、負の屈折力を持つ第三レンズ群、正の屈折力を持つ第四レンズ群を含み、第二レンズ群と第三レンズ群を移動させることで変倍を行い、下記の条件式(6）を満足するように構成されている。
1.47＜R1/fw＜1.98                                        （6）
但し、R1は第一レンズ群の物体側の面の曲率半径、fwは対物レンズ系の広角端における焦点距離である。
上記条件式(6)の下限を下回ると、広角端でのディストーションが負の方向に増大してしまう。また、上限を上回ると望遠端での球面収差とコマ収差が大きくなってしまう。
【００２３】
また、本発明によれば、正の屈折力を持つ対物レンズ系と、像正立光学系と、正の屈折力を持つ接眼レンズ系を持つ実像式光学ファインダーにおいて、対物レンズ系は、物体側より順に配置された、正の屈折力を持つ第一レンズ群、負の屈折力を持つ第二レンズ群、負の屈折力を持つ第三レンズ群、正の屈折力を持つ第四レンズ群を含み、第二レンズ群と第三レンズ群を移動させることで変倍を行い、下記の条件式(7）を満足するように構成されている。
-1.72＜f3/fw＜-1.09                                       （7）
但し、f3は第三レンズ群の焦点距離、fwは対物レンズ系の広角端における焦点距離である。
上記条件式(7)の上限を上回ると、レンズの偏芯が光学性能に効くレンズとなり、可動群としては取り扱いづらいものとなる。また、下限を下回ると、第二レンズ群と第三レンズ群の移動量が増し小型化が難しくなる。
【００２４】
また、本発明によれば、正の屈折力を持つ対物レンズ系と、像正立光学系と、正の屈折力を持つ接眼レンズ系を持つ実像式光学ファインダーにおいて、対物レンズ系は、物体側より順に配置された、正の屈折力を持つ第一レンズ群、負の屈折力を持つ第二レンズ群、負の屈折力を持つ第三レンズ群、正の屈折力を持つ第四レンズ群を含み、第二レンズ群と第三レンズ群を移動させることで変倍を行い、下記の条件式（８）を満足するように構成されている。
1.2＜ f1/(ft/fw) ＜ 3.27                                 （8）
但し、f1は第一レンズ群の焦点距離、ftは対物レンズ系の望遠端における焦点距離、fwは対物レンズ系の広角端における焦点距離である。
上記条件式(8)の下限を下回ると、第一レンズ群のパワーが強くなりすぎ、取り付け時の位置ずれによる視度の利きが強くなってしまい、製造上取り扱いづらくなってしまう。また、上限を上回ると、小型化が困難となる。
【００２５】
また、本発明によれば、正の屈折力を持つ対物レンズ系と、像正立光学系と、正の屈折力を持つ接眼レンズ系を持つ実像式光学ファインダーにおいて、対物レンズ系は、物体側より順に配置された、正の屈折力を持つ第一レンズ群、負の屈折力を持つ第二レンズ群、負の屈折力を持つ第三レンズ群、正の屈折力を持つ第四レンズ群を含み、第二レンズ群は1枚のレンズから構成され、第二レンズ群と第三レンズ群を移動させることで変倍を行い、下記の条件式（9）を満足するように構成されている。
-1.84＜f2/(ft/fw)＜-0.99                                (9)
但し、f2は第一レンズ群の焦点距離、ftは対物レンズ系の望遠端における焦点距離、fwは対物レンズ系の広角端における焦点距離である。
上記条件式(9)の下限を下回ると、第二レンズ群のパワーが弱くなり、変倍時の第二レンズ群と第三レンズ群の移動量が多くなり小型化が困難と成る。また、上限を上まわると、第二レンズ群のパワーが強くなり、小型化には有利だが良好な収差を維持することが困難となる。
【００２６】
また、本発明によれば、正の屈折力を持つ対物レンズ系と、像正立光学系と、正の屈折力を持つ接眼レンズ系を持つ実像式光学ファインダーにおいて、対物レンズ系は、物体側より順に配置された、正の屈折力を持つ第一レンズ群、負の屈折力を持つ第二レンズ群、負の屈折力を持つ第三レンズ群、正の屈折力を持つ第四レンズ群を含み、第二レンズ群と第三レンズ群を移動させることで変倍を行い、第四レンズ群と中間像との間に物体側に正パワーを持ち像正立の反射面を有するプリズムが配されている。
第四レンズ群と中間像の間に像正立の反射面を置くことで、高変倍でありながら近年の流れである薄型のカメラへの搭載も可能とする。また正負負正のレンズ構成では、第四レンズ群の正のパワーが大きくなる。よって、第四レンズ群と中間像の間にあるプリズムの入射面を凸面にし、第四レンズ群の正パワーを分散することが収差補正に良い。
【００２７】
また、本発明によれば、好ましくは、正の屈折力の第一レンズ群、負の屈折力を持つ第二レンズ群、負の屈折力を持つ第三レンズ群、正の屈折力を持つ第四レンズ群は、それぞれ1枚のレンズから構成されている。
上記条件式(1)乃至(9)を満足し、各レンズ群を1枚で構成することにより対物レンズ光学系を、必要な光学性能をもち、全長を短くするのに有利となり、且つ小型にすることができる。非球面を用いることにより効果的に光学性能を導き出すことができる。
【００２８】
以下、図示した実施例に基き、本発明を詳細に説明する。
実施例1
図１は、本実施例に係る実像式光学ファインダーの構成を示す光軸に沿う断面図であり、（a）は広角、（b）は中間、（c）は望遠での状態をそれぞれ示している。
【００２９】
本実施例の光学系は、図１（a）乃至（c）に示すように、対物レンズ系１と接眼レンズ系２とにより構成されている。対物レンズ系１は、一枚の両凸正レンズからなる第１レンズ群G1と、一枚の両凹負レンズからなる第２レンズ群G2と、物体側に凹面を向けた一枚の負レンズからなる第３レンズ群G3と、一枚の両凸正レンズからなる第４レンズ群G4と、二回反射可能なプリズム１aとにより構成されている。そして、第２レンズ群G2と第３レンズ群G3は、それぞれ独立に光軸Lc上を移動できるようになっている。また、接眼レンズ系２は、二回反射可能なプリズム２aと、一枚の両凸正レンズ２bとにより構成されている。像正立光学系は、対物レンズ系１におけるプリズム１a及び接眼レンズ系２におけるプリズム２aにより構成されている。
【００３０】
本実施例の光学系では、第２レンズ群G2と第３レンズ群G3が光軸Lc上を移動することによって、変倍が行われる。また、本実施例の光学系では、プリズム１aにより、対物レンズ系１中の第１レンズ群G1, 第２レンズ群G2, 第３レンズ群G3及び第４レンズ群G4により形成された逆転像が二回反射されて中間像が形成され、更に、プリズム２aにより接眼レンズ系２中の両凸正レンズ２bを介することにより、正立正像が得られる。
非球面は、第１レンズ群G1の両凸正レンズの像側の面、第２レンズ群G2の両凹負レンズの像側の面、第３レンズ群G3の負レンズの物体側の面、第４レンズ群G4の両凸正レンズの両面、接眼レンズ系２の物体側の面の６面に設けられている。
【００３１】
下記の数値データにおいて、Rは各レンズ面またはプリズム面の近軸曲率半径、Dは各レンズまたはプリズムの光軸上の肉厚またはそれらの間の空気間隔、Nは各レンズまたはプリズムの屈折率、Vdは各レンズまたはプリズムのアッベ数、Kは円錐係数、A4, A6, A8及びA10は非球面係数をそれぞれ示している。
また、上記非球面形状は、上記各非球面係数を用いて以下の式で表される。但し、光軸方向の座標をZ、光軸と垂直な方向の座標をY、ｒを非球面頂点での曲率半径とする。
Ｚ＝（Ｙ2／ｒ）／［１＋｛１−（１＋K）・（Ｙ／ｒ）2｝1/2］＋Ａ4Ｙ4＋Ａ6Ｙ6
＋Ａ8Ｙ8＋Ａ10Ｙ10
また、非球面係数中、例えば、非球面２のＡ4：６.３３Ｅ−０４は、６.３３×１０-4とも表示され得るが、本数値データ中では全て前者の形式で表示してある。
なお、上記数値データに関する説明は、本発明の各実施例の数値データに共通に用いられる。
【００３２】
以下、本実施例に係る実像式光学ファインダーを構成するレンズの数値データを示す。
広角端      中間        望遠端
ファインダー倍率      0.29        0.60         1.26
半画角（ω）          19.24       8.92         4.23
【００３３】
2006195367.tif 000003
【００３４】
2006195367.tif 000004
【００３５】
2006195367.tif 000005
【００３６】
なお、図２は、本実施例に係る実像式光学ファインダーの光学系の収差図であり、（a）は広角端、（b）は中間、（ｃ）は望遠端での状態をそれぞれ示している。
実施例2
図３は、本実施例に係る実像式光学ファインダーの構成を示す光軸に沿う断面図であり、（a）は広角、（b）は中間、（c）は望遠での状態をそれぞれ示している。
【００３７】
本実施例の光学系は、図３（a）乃至（c）に示すように、対物レンズ系１と接眼レンズ系２とにより構成されている。対物レンズ系１は、一枚の両凸正レンズからなる第１レンズ群G1と、一枚の両凹負レンズからなる第２レンズ群G2と、物体側に凹面を向けた一枚の負レンズからなる第３レンズ群G3と、一枚の両凸正レンズからなる第４レンズ群G4と、二回反射可能なプリズム１aとにより構成されている。そして、第２レンズ群G2と第３レンズ群G3は、それぞれ独立に光軸Lc上を移動できるようになっている。また、接眼レンズ系２は、二回反射可能なプリズム２aと、一枚の両凸正レンズ２bとにより構成されている。像正立光学系は、対物レンズ系１におけるプリズム１a及び接眼レンズ系２におけるプリズム２aにより構成されている。
【００３８】
本実施例の光学系では、第２レンズ群G2と第３レンズ群G3が光軸Lc上を移動することによって、変倍が行われる。また、本実施例の光学系では、プリズム１aにより、対物レンズ系１中の第１レンズ群G1, 第２レンズ群G2, 第３レンズ群G3及び第４レンズ群G4により形成された逆転像が二回反射されて中間像が形成され、更に、プリズム２aにより接眼レンズ系２中の両凸正レンズ２bを介することにより、正立正像が得られる。
非球面は、第１レンズ群G1の両凸正レンズの像側の面、第２レンズ群G2の両凹負レンズの像側の面、第３レンズ群G3の負レンズの物体側の面、第４レンズ群G4の両凸正レンズの両面、接眼レンズ系２の物体側の面の６面に設けらている。
【００３９】
以下、本実施例に係る実像式光学ファインダーを構成するレンズの数値データを示す。
広角端        中間        望遠端
倍率                 0.29         0.50         0.87
半画角（ω）        19.30        10.77         6.17
【００４０】
2006195367.tif 000006
【００４１】
2006195367.tif 000007
【００４２】
2006195367.tif 000008
【００４３】
なお、図４は、本実施例に係る実像式光学ファインダーの光学系の収差図であり、（a）は広角端、（b）は中間、（ｃ）は望遠端での状態をそれぞれ示している。
【００４４】
実施例3
図５は、本実施例に係る実像式光学ファインダーの構成を示す光軸に沿う断面図であり、（a）は広角、（b）は中間、（c）は望遠での状態をそれぞれ示している。
【００４５】
本実施例の光学系は、図５（a）乃至（c）に示すように、対物レンズ系１と接眼レンズ系２とにより構成されている。対物レンズ系１は、一枚の両凸正レンズからなる第１レンズ群G1と、一枚の両凹負レンズからなる第２レンズ群G2と、一枚の両凹負レンズからなる第３レンズ群G3と、一枚の両凸正レンズからなる第４レンズ群G4と、二回反射可能なプリズム１aとにより構成されている。そして、第２レンズ群G2と第３レンズ群G3は、それぞれ独立に光軸Lc上を移動できるようになっている。また、接眼レンズ系２は、二回反射可能なプリズム２aと、一枚の両凸正レンズ２bとにより構成されている。像正立光学系は、対物レンズ系１におけるプリズム１a及び接眼レンズ系２におけるプリズム２aにより構成されている。
【００４６】
本実施例の光学系では、第２レンズ群G2と第３レンズ群G3が光軸Lc上を移動することによって、変倍が行われる。また、本実施例の光学系では、プリズム１aにより、対物レンズ系１中の第１レンズ群G1, 第２レンズ群G2, 第３レンズ群G3及び第４レンズ群G4により形成された逆転像が二回反射されて中間像が形成され、更に、プリズム２aにより接眼レンズ系２中の両凸正レンズ２bを介することにより、正立正像が得られる。
非球面は、第１レンズ群G1の両凸正レンズの像側の面、第２レンズ群G2の両凹負レンズの像側の面、第３レンズ群G3の負レンズの物体側の面、第４レンズ群G4の両凸正レンズの両面、接眼レンズ系２の物体側の面の６面に設けらている。
なお、第４レンズ群G4における両凸正レンズの物体側の面には、レンズ周辺部の正のパワーが弱くなるように非球面が設けられている。
【００４７】
以下、本実施例に係る実像式光学ファインダーを構成するレンズの数値データを示す。
広角端        中間        望遠端
倍率                 0.29         0.60         0.87
半画角（ω）        19.21         8.90         4.25
【００４８】
2006195367.tif 000009
【００４９】
2006195367.tif 000010
【００５０】
2006195367.tif 000011
【００５１】
なお、図６は、本実施例に係る実像式光学ファインダーの光学系の収差図であり、（a）は広角端、（b）は中間、（ｃ）は望遠端での状態をそれぞれ示している。
【００５２】
実施例4
図７は、本実施例に係る実像式光学ファインダーの構成を示す光軸に沿う断面図であり、（a）は広角、（b）は中間、（c）は望遠での状態をそれぞれ示している。
【００５３】
本実施例の光学系は、図７（a）乃至（c）に示すように、対物レンズ系１と接眼レンズ系２とにより構成されている。対物レンズ系１は、一枚の両凸正レンズからなる第１レンズ群G1と、一枚の両凹負レンズからなる第２レンズ群G2と、物体側に凹面を向けた一枚の負メニスカスレンズからなる第３レンズ群G3と、一枚の両凸正レンズからなる第４レンズ群G4と、二回反射可能なプリズム１aとにより構成されている。そして、第２レンズ群G2と第３レンズ群G3は、それぞれ独立に光軸Lc上を移動できるようになっている。また、接眼レンズ系２は、二回反射可能なプリズム２aと、一枚の両凸正レンズ２bとにより構成されている。像正立光学系は、対物レンズ系１におけるプリズム１a及び接眼レンズ系２におけるプリズム２aにより構成されている。
【００５４】
本実施例の光学系では、第２レンズ群G2と第３レンズ群G3が光軸Lc上を移動することによって、変倍が行われる。また、本実施例の光学系では、プリズム１aにより、対物レンズ系１中の第１レンズ群G1, 第２レンズ群G2, 第３レンズ群G3及び第４レンズ群G4により形成された逆転像が二回反射されて中間像が形成され、更に、プリズム２aにより接眼レンズ系２中の両凸正レンズ２bを介することにより、正立正像が得られる。
非球面は、第１レンズ群G1の両凸正レンズの像側の面、第２レンズ群G2の両凹負レンズの像側の面、第３レンズ群G3の負レンズの物体側の面、第４レンズ群G4の両凸正レンズの両面、接眼レンズ系２の物体側の面の６面に設けらている。また、第２レンズ群G2の両凹負レンズの像側面のレンズ周辺部には、レンズ鏡枠（図示せず）への当てつけ面が設けられている。
本実施例のように、対物レンズ系１が正、負、負、正の４群構成の場合、負のパワーを有する第２レンズ群G2及び第３レンズ群G3を接近させる必然性はないため、レンズ鏡枠への当てつけ面を第２レンズ群G2の負レンズの像側面に設けることにより、第１レンズ群G1及び第２レンズ群G2の間隔をより狭くすることができる。
【００５５】
以下、本実施例に係る実像式光学ファインダーを構成するレンズの数値データを示す。
広角端        中間        望遠端
倍率                 0.29         0.60         1.27
半画角（ω）        18.98         8.91         4.24
【００５６】
2006195367.tif 000012
【００５７】
2006195367.tif 000013
【００５８】
2006195367.tif 000014
【００５９】
なお、図８は、本実施例に係る実像式光学ファインダーの光学系の収差図であり、（a）は広角端、（b）は中間、（ｃ）は望遠端での状態をそれぞれ示している。
【００６０】
実施例5
図９は、本実施例に係る実像式光学ファインダーの構成を示す光軸に沿う断面図であり、（a）は広角、（b）は中間、（c）は望遠での状態をそれぞれ示している。
【００６１】
本実施例の光学系は、図９（a）乃至（c）に示すように、対物レンズ系１と接眼レンズ系２とにより構成されている。対物レンズ系１は、一枚の両凸正レンズからなる第１レンズ群G1と、光軸上両凹形状を有する一枚の負レンズからなる第２レンズ群G2と、一枚の両凹負レンズからなる第３レンズ群G3と、一枚の両凸正レンズからなる第４レンズ群G4と、二回反射可能なプリズム１aとにより構成されている。そして、第２レンズ群G2と第３レンズ群G3は、それぞれ独立に光軸Lc上を移動できるようになっている。また、接眼レンズ系２は、二回反射可能なプリズム２aと、一枚の両凸正レンズ２bとにより構成されている。像正立光学系は、対物レンズ系１におけるプリズム１a及び接眼レンズ系２におけるプリズム２aにより構成されている。
【００６２】
本実施例の光学系では、第２レンズ群G2と第３レンズ群G3が光軸Lc上を移動することによって、変倍が行われる。また、本実施例の光学系では、プリズム１aにより、対物レンズ系１中の第１レンズ群G1, 第２レンズ群G2, 第３レンズ群G3及び第４レンズ群G4により形成された逆転像が二回反射されて中間像が形成され、更に、プリズム２aにより接眼レンズ系２中の両凸正レンズ２bを介することにより、正立正像が得られる。
非球面は、第１レンズ群G1の両凸正レンズの像側の面、第２レンズ群G2の両凹負レンズの像側の面、第３レンズ群G3の負レンズの物体側の面、第４レンズ群G4の両凸正レンズの両面、接眼レンズ系２の物体側の面の６面に設けらている。
なお、第２レンズ群G2の負レンズの像側の面には、レンズ中心部から周辺部にかけて正のパワーが徐々に強くなっていくように非球面が設けられ、第４レンズ群G4の両凸正レンズの物体側の面には、レンズ周辺部の正のパワーが弱くなるように、非球面が設けられている。
【００６３】
以下、本実施例に係る実像式光学ファインダーを構成するレンズの数値データを示す。
広角端        中間        望遠端
倍率                 0.89         0.60         1.27
半画角（ω）        19.11         8.93         4.22
【００６４】
2006195367.tif 000015
【００６５】
2006195367.tif 000016
【００６６】
2006195367.tif 000017
【００６７】
なお、図１０は、本実施例に係る実像式光学ファインダーの光学系の収差図であり、（a）は広角端、（b）は中間、（ｃ）は望遠端での状態をそれぞれ示している。
【００６８】
実施例６
図１１は、本実施例に係る実像式光学ファインダーの構成を示す光軸に沿う断面図であり、（a）は広角、（b）は中間、（c）は望遠での状態をそれぞれ示している。
【００６９】
本実施例の光学系は、図１１（a）乃至（c）に示すように、対物レンズ系１と接眼レンズ系２とにより構成されている。対物レンズ系１は、一枚の両凸正レンズからなる第１レンズ群G1と、一枚の両凹負レンズからなる第２レンズ群G2と、物体側に凹面を向けた一枚の負レンズからなる第３レンズ群G3と、一枚の両凸正レンズからなる第４レンズ群G4と、二回反射可能なプリズム１aとにより構成されている。そして、第２レンズ群G2と第３レンズ群G3は、それぞれ独立に光軸Lc上を移動できるようになっている。また、接眼レンズ系２は、二回反射可能なプリズム２aと、一枚の両凸正レンズ２bとにより構成されている。像正立光学系は、対物レンズ系１におけるプリズム１a及び接眼レンズ系２におけるプリズム２aにより構成されている。
【００７０】
本実施例の光学系では、第２レンズ群G2と第３レンズ群G3が光軸Lc上を移動することによって、変倍が行われる。また、本実施例の光学系では、プリズム１aにより、対物レンズ系１中の第１レンズ群G1, 第２レンズ群G2, 第３レンズ群G3及び第４レンズ群G4により形成された逆転像が二回反射されて中間像が形成され、更に、プリズム２aにより接眼レンズ系２中の両凸正レンズ２bを介することにより、正立正像が得られる。
非球面は、第１レンズ群G1の両凸正レンズの像側の面、第２レンズ群G2の両凹負レンズの像側の面、第３レンズ群G3の負レンズの物体側の面、第４レンズ群G4の両凸正レンズの両面、接眼レンズ系２の物体側の面の６面に設けらている。
【００７１】
以下、本実施例に係る実像式光学ファインダーを構成するレンズの数値データを示す。
広角端        中間        望遠端
倍率                 0.29         0.75         1.89
半画角（ω）        19.18         7.33         2.92
【００７２】
2006195367.tif 000018
【００７３】
2006195367.tif 000019
【００７４】
2006195367.tif 000020
【００７５】
なお、図１２は、本実施例に係る実像式光学ファインダーの光学系の収査図であり、（a）は広角端、（b）は中間、（ｃ）は望遠端での状態をそれぞれ示している。
【００７６】
条件式数値
2006195367.tif 000021
【００７７】
本発明による実像式光学ファインダーにおける像正立光学系としては、例えば、図１３に示すように、プリズム１aをダハ反射プリズムとして、また、プリズム２aをペンタプリズムとして構成するものが挙げられるが、本発明はこれに限定されず、ポロプリズム等、像正立化ができるものであれば良い。
また、上述のように構成した本発明による実像式光学ファインダーは、３５ミリフィルム用カメラ、ＡＰＳフィルム対応カメラ等のコンパクトカメラや、ＣＣＤやＣＭＯＳセンサー等の電子撮像素子を用いたデジタルカメラ、ビデオムービー等の各種撮影装置に用いることができる。以下にその具体的な適用例を示す。
【００７８】
図１４乃至１６は、本発明の実像式光学ファインダーを組み込んだデジタルカメラ４０の実施例を示す図であり、図１４はデジタルカメラ４０の外観を前方から見た斜視図、図１５はデジタルカメラ４０の外観を後方から見た正面図、図１６はデジタルカメラ４０の内部構成を示す模式的な透視平面図である。但し、図１４と図１６においては、撮影光学系４１の非沈胴時を示している。デジタルカメラ４０は、この例の場合、撮影用光路４２を有する光学系４１、ファインダー用光路４４を有する本発明のファインダー光学系４３、シャッター釦４５、フラッシュ４６、液晶表示モニター４７、焦点距離変更釦６１、設定変更スイッチ６２等を含み、撮影光学系４１の沈胴時には、カバー６０をスライドさせることにより撮影光学系４１とファインダー光学系４３とフラッシュ４６は、そのカバー６０で覆われる。そして、カバー６０を開いてカメラ４０を撮影状態に設定すると、撮影光学系４１は図１６の非沈胴状態になり、カメラ４０の上部に配置されたシャッター釦４５を押圧すると、それに連動して撮影光学系４１を通して撮影が行われる。
【００７９】
撮影光学系４１によって形成された物体像が、ＩＲカットコートを施したローパスフィルターＬＦとカバーガラスＣＧを介してＣＣＤ４９の撮像面上に形成される。このＣＣＤ４９で受光された物体像は、処理手段５１を介し、電子画像としてカメラ背部に設けられた液晶表示モニター４７に表示される。また、この処理手段５１には記録手段５２が接続され、撮影された電子画像を記録することもできる。なお、この記録手段５２は処理手段５１と別体に設けられても良いし、フロピーディスクやメモリーカード、ＭＯ等により電子的に記録書込みを行うように構成しても良い。また、ＣＣＤ４９に代わって銀塩フィルムを配置した銀塩カメラとして構成しても良い。
【００８０】
さらに、ファインダー用光路４４上には、例えば、実施例１の第１レンズ群Ｇ１、第２レンズ群Ｇ２、第３レンズ群Ｇ３、第４レンズ群Ｇ４及びプリズム１aにより構成されるファインダー用対物光学系５３が配置されている。ファインダー用対物光学系５３は、撮影光学系４１のズームレンズに連動して焦点距離が変化し、上記第１レンズ群Ｇ１、第２レンズ群Ｇ２、第３レンズ群Ｇ３、第４レンズ群Ｇ４によって形成された逆転像は、像正立光学系であるプリズム１aにより二回反射されて中間像を形成する。プリズム１aの像側には、正立正像を得るためのプリズム２a及び得られた正立正像を観察者の眼球Ｅに導く正レンズ２bかななる接眼光学系５９が配置されている。なお、接眼光学系５９の射出側にカバー部材５０が配置されている。
【００８１】
なお、上記ファインダー用光路４４を有するファインダー光学系４３は、撮影光学系４１がズームレンズである場合は、上記各実施例の何れの実像式光学ファインダーを用いても良い。また、撮影光学系４１が単焦点の光学系である場合、ファインダー光学系４３の対物光学系を、撮影範囲が観察できる単焦点の対物光学系とすることもできる。
このように構成されたデジタルカメラ４０は、撮影光学系４１が高性能且つ小型で沈胴収納が可能であるので、高性能・小型化が実現できる。
【図面の簡単な説明】
【００８２】
【図１】本発明の第１実施例に係る実像式光学ファインダーの光学系の構成を示す光軸に沿う断面図であり、（a）は広角端、（b）は中間、（c）は望遠端での状態をそれぞれ示している。
【図２】本発明の第１実施例に係る実像式光学ファインダーの光学系の収差図であり、（a）は広角端、（b）は中間、（c）は望遠端での状態をそれぞれ示している。
【図３】本発明の第２実施例に係る実像式光学ファインダーの光学系の構成を示す光軸に沿う断面図であり、（a）は広角端、（b）は中間、（c）は望遠端での状態をそれぞれ示している。
【図４】本発明の第２実施例に係る実像式光学ファインダーの光学系の収差図であり、（a）は広角端、（b）は中間、（c）は望遠端での状態をそれぞれ示している。
【図５】本発明の第３実施例に係る実像式光学ファインダーの光学系の構成を示す光軸に沿う断面図であり、（a）は広角端、（b）は中間、（c）は望遠端での状態をそれぞれ示している。
【図６】本発明の第３実施例に係る実像式光学ファインダーの光学系の収差図であり、（a）は広角端、（b）は中間、（c）は望遠端での状態をそれぞれ示している。
【図７】本発明の第４実施例に係る実像式光学ファインダーの光学系の構成を示す光軸に沿う断面図であり、（a）は広角端、（b）は中間、（c）は望遠端での状態をそれぞれ示している。
【図８】本発明の第４実施例に係る実像式光学ファインダーの光学系の収差図であり、（a）は広角端、（b）は中間、（c）は望遠端での状態をそれぞれ示している。
【図９】本発明の第５実施例に係る実像式光学ファインダーの光学系の構成を示す光軸に沿う断面図であり、（a）は広角端、（b）は中間、（c）は望遠端での状態をそれぞれ示している。
【図１０】本発明の第５実施例に係る実像式光学ファインダーの光学系の収差図であり、（a）は広角端、（b）は中間、（c）は望遠端での状態をそれぞれ示している。
【図１１】本発明の第６実施例に係る実像式光学ファインダーの光学系の構成を示す光軸に沿う断面図であり、（a）は広角端、（b）は中間、（c）は望遠端での状態をそれぞれ示している。
【図１２】本発明の第６実施例に係る実像式光学ファインダーの光学系の収差図であり、（a）は広角端、（b）は中間、（c）は望遠端での状態をそれぞれ示している。
【図１３】プリズム１aをダハ反射プリズムとして、また、プリズム２aをペンタプリズムとして構成した本発明の実像式光学ファインダーの光学系の構成を示す光軸に沿う断面図である。
【図１４】本発明の実像式光学ファインダーを組み込んだデジタルカメラの外観を前方から見た斜視図である。
【図１５】図１４に示したデジタルカメラの外観を後方から見た正面図である。
【図１６】図１４に示したデジタルカメラの内部構成を示す模式的な透視平面図である。
【符号の説明】
【００８３】
１                      対物レンズ係
２                      接眼光学系
１ａ，２ａ              プリズム
２ｂ                    正レンズ
Ｇ1                     第１レンズ群
Ｇ2                     第２レンズ群
Ｇ3                     第３レンズ群
Ｇ4                     第４レンズ群
Ｌｃ                    光軸
【図１】
2006195367.tif 000022
【図２】
2006195367.tif 000023
【図３】
2006195367.tif 000024
【図４】
2006195367.tif 000025
【図５】
2006195367.tif 000026
【図６】
2006195367.tif 000027
【図７】
2006195367.tif 000028
【図８】
2006195367.tif 000029
【図９】
2006195367.tif 000030
【図１０】
2006195367.tif 000031
【図１１】
2006195367.tif 000032
【図１２】
2006195367.tif 000033
【図１３】
2006195367.tif 000034
【図１４】
2006195367.tif 000035
【図１５】
2006195367.tif 000036
【図１６】
2006195367.tif 000037